(57)【要約】【課題】仕切部材と対向するレンズ部材の対向部およびその近傍に影が発生するのを防止できるとともに取付ベースの汎用性を高めることができる遊技機を提供する。【解決手段】仕切部材１７０とレンズ部材１００Ｂの対向部２００との間に、一方のＬＥＤ１４０ａの光の一部が対向部２００およびこの対向部近傍の他方側の照射面Ｓ２を照射可能とし、他方のＬＥＤ１６３ａの光の一部が対向部２００およびこの対向部近傍の一方側の照射面Ｓ１を照射可能とする隙間Ｓが設けられているので、対向部２００およびこの対向部近傍の照射面Ｓ１，Ｓ２にＬＥＤ１４０ａ，１６３ａの光が照射される。このため、レンズ部材１００Ｂの対向部２００およびその近傍に影が発生するのを防止できるとともに取付ベース１６１の汎用性を高めることができる。【選択図】図９
2018191782.tif 000002
【特許請求の範囲】
【請求項１】
照明装置を備えた遊技機であって、
前記照明装置は、取付ベースと、この取付ベースに取り付けられた複数の光源と、前記取付ベースに、隣り合う前記光源の間において設けられて、光を遮蔽可能な仕切部材と、前記取付ベースに、前記仕切部材より前側において設けられて、前記光源の光が照射されるレンズ部材とを備え、
前記レンズ部材の、前記仕切部材と前後方向において対向する対向部を境として一方側を一方側の照射面、他方側を他方側の照射面とすると、
前記対向部と前記仕切部材との間に、一方の前記光源の光の一部が前記対向部およびこの対向部近傍の他方側の前記照射面を照射可能とし、他方の前記光源の光の一部が前記対向部およびこの対向部近傍の一方側の前記照射面を照射可能とする隙間が設けられていることを特徴とする遊技機。
【請求項２】
前記照射面を前記光源の光がその進行方向に垂直に照らした際の照度に対して、前記対向部およびこの対向部近傍の前記照射面を前記光源の光が照らした際の照度が６０％以上となっていることを特徴とする請求項１に記載の遊技機。
【請求項３】
前記隙間の長さが５ｍｍ〜１５ｍｍに設定されていることを特徴とする請求項１に記載の遊技機。
【発明の詳細な説明】
【技術分野】
【０００１】
本発明は、照明装置を備えた遊技機に関する。
【背景技術】
【０００２】
スロットマシンやパチンコ遊技機等の遊技機では、装飾や演出のための照明装置を有することがある。この照明装置には、光が透過するとともに装飾部材としての形状を有するレンズ部材を備えるものがある（例えば特許文献１参照）。
また、遊技機の照明装置には、ＬＥＤ基板を左右に離間して配置するとともに、これらＬＥＤ基板間に仕切壁を設け、各ＬＥＤ基板に設けられているＬＥＤの光を前方に配置されたレンズ部材に照射するものがある（例えば特許文献２参照）。
【０００３】
ところで、遊技機の照明装置において、取付ベースに、例えばＬＥＤ基板を左右に離間して配置して取り付け、一方のＬＥＤ基板に設けられたＬＥＤによって、当該ＬＥＤの前方に配置されている一方のレンズ部材に光を照射し、他方のＬＥＤ基板に設けられたＬＥＤによって、当該ＬＥＤの前方に配置されている他方のレンズ部材に光を照射する場合、これら光が互いに干渉するのを防止するために、取付ベースにＬＥＤ基板間を仕切る仕切壁等の仕切部材を設け、この仕切部材によって一方（他方）のＬＥＤの光が他方（一方）のレンズ部材に照射されないようにしている。
【先行技術文献】
【特許文献】
【０００４】
【特許文献１】特開２０１４−１９３３３６号公報
【特許文献２】特許第５７７７８５８
【発明の概要】
【発明が解決しようとする課題】
【０００５】
ところで、遊技機の照明装置において、取付ベースにＬＥＤ基板を左右に離間して配置して取り付ける場合、一方のＬＥＤ基板のＬＥＤの光の一部と、他方のＬＥＤ基板のＬＥＤの光の一部をそれぞれ他方および一方のレンズ部材に照射して、双方のレンズ部材を一体的に光らせることで、レンズ部材の一体感を高めるような仕様変更を行うこともある。この場合、仕切部材とレンズ部材との間にＬＥＤの光の一部を透過させるような隙間を設ける必要があるが、この隙間が狭いと、仕切部材と対向するレンズ部材の対向部およびその近傍に影が発生してしまう。
仕切部材が設けられていない取付ベースを別途用意すれば、このような影の発生を防止できる。
一方、レンズ部材およびＬＥＤ基板を取り付ける取付ベースを共通化することによって、取付ベースの汎用性が望まれる場合部材が設けられている取付ベースと、仕切部材が設けられていない取付ベースを用意することは取付ベースの汎用性の低下につながる。
【０００６】
本発明は、前記事情に鑑みてなされたもので、仕切部材に対向するレンズ部材の対向部およびその近傍に影が発生するのを防止できるとともに取付ベースの汎用性を高めることができる遊技機を提供することを目的とする。
【課題を解決するための手段】
【０００７】
前記目的を達成するために、本発明の遊技機は、照明装置を備えた遊技機であって、
前記照明装置は、取付ベースと、この取付ベースに取り付けられた複数の光源と、前記取付ベースに、隣り合う前記光源の間において設けられて、光を遮蔽可能な仕切部材と、前記取付ベースに、前記仕切部材より前側において設けられて、前記光源の光が照射されるレンズ部材とを備え、
前記レンズ部材の、前記仕切部材と前後方向において対向する対向部を境として一方側を一方側の照射面、他方側を他方側の照射面とすると、
前記対向部と前記仕切部材との間に、一方の前記光源の光の一部が前記対向部およびこの対向部近傍の他方側の前記照射面を照射可能とし、他方の前記光源の光の一部が前記対向部およびこの対向部近傍の一方側の前記照射面を照射可能とする隙間が設けられていることを特徴とする。
【０００８】
本発明においては、レンズ部材の対向部と仕切部材との間に、一方の光源の光の一部が対向部およびこの対向部近傍の他方側の照射面を照射可能とし、他方の光源の光の一部が対向部およびこの対向部近傍の一方側の照射面を照射可能とする隙間が設けられているので、対向部およびこの対向部近傍に光源の光が照射される。このため、レンズ部材の対向部およびその近傍に影が発生するのを防止できる
また、レンズ部材を仕切部材に当接するようにして取付ベースに取り付けることによって、一方の光源の光の一部と他方の光源の光の一部とが互いに干渉するのを防止できるような仕様変更にも対応できるので、取付ベースの汎用性を高めることができる。
【０００９】
また、本発明の前記構成において、前記対向部は前記仕切部材側に向けてくびれていてもよい。
【００１０】
このような構成によれば、対向部が仕切部材側に向けてくびれていても、当該対向部と仕切部材との間に上述したような隙間を設けることによって、くびれている対向部を確実に光らせることができる
【００１１】
また、本発明の前記構成において、前記照射面を前記光源の光がその進行方向に垂直に照らした際の照度に対して、前記対向部およびこの対向部近傍の前記照射面を前記光源の光が照らした際の照度が６０％以上となっていることが好ましい。
このように照度を規定したのは、当該照度が６０％未満では、対向部およびこの対向部近傍の照射面の照度が不足して、暗くなってしまうからである。
【００１２】
このような構成によれば、対向部およびこの対向部近傍の照射面の照度が６０％以上となっているので、当該対向部およびこの対向部近傍の照射面の照度が十分となる。
【００１３】
また、本発明の前記構成において、前記隙間の長さが５ｍｍ〜１５ｍｍに設定されていることが好ましい。
このように隙間の長さを規定したのは、隙間の長さが５ｍｍ未満では、対向部に光源の光が照射されない部分が生じて、対向部が暗くなるか影が生じてしまうからであり、１５ｍｍを超えると、仕切部材によって一方（他方）の光源の光が他方（一方）のレンズ部材に照射されないようにするような仕様変更が困難となって、取付ベースの汎用性が低下してしまうからである。
【００１４】
このような構成によれば、隙間の長さが５ｍｍ〜１５ｍｍに設定されているので、対向部および対向部近傍の照射面の照度が十分となるとともに取付ベースの汎用性を維持することができる。
【発明の効果】
【００１５】
本発明によれば、仕切部材に対向するレンズ部材の対向部およびその近傍に影が発生するのを防止できるとともに取付ベースの汎用性を高めることができる。
【図面の簡単な説明】
【００１６】
【図１】本発明の実施の形態に係る遊技機の一例を示すもので、その斜視図である。
【図２】同、照明装置の分解斜視図である。
【図３】同、不透明装飾部材を後面側から見た斜視図である。
【図４】同、照明装置の分解斜視図であり、複数のレンズ部材を分解した状態を示す図である。
【図５】同、照明装置の側断面図である。
【図６】同、照明装置を斜め後面側から見た斜視図である。
【図７】同、照明装置の要部の斜視断面図である。
【図８】同、照明装置の要部の平断面図である。
【図９】同、レンズ部材、ＬＥＤ基板、仕切部材等の位置関係を模式的に示す図である。
【図１０】同、ＬＥＤの放射角度と相対光度（照度）との関係を示すグラフである。
【発明を実施するための形態】
【００１７】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１８】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１９】
また、筐体１の正面には、筐体１の正面開口部を開閉可能に閉塞する前扉３が設けられており、この前扉３は、前記正面開口部の開口上部を開閉可能に閉塞する上扉３０と、開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００２０】
図１に示すように、上扉３０の下部中央には、表示窓３１が設けられ、この表示窓３１の奥には、前記３個の回転リールが横一列に設けられている。各回転リールの外周面には複数種類の図柄が配列されており、回転リールが停止すると表示窓を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
【００２１】
また、上扉３０の上部中央には、表示窓３１の上方に表示窓３２が設けられている。この表示窓３２は上扉３０に設けられた液晶パネルを有する画像表示装置の表示面を見るために設けられたものであり、この画像表示装置では、その表示面に遊技機における演出用の画像が表示されるようになっている。なお、画像表示装置は、演出用の画像を表示できるものであれば、液晶ディスプレイ以外のディスプレイであってもよい。
また、上扉３０の表示窓３２の上部には、報知や演出などを行うための照明装置３４が設けられ、表示窓３２と表示窓３１との間には報知や演出などを行うための横長の照明装置３６が設けられている。
また、上扉３０の左右両側部には、報知や演出などを行うための照明装置３７が合計４個設けられている。
【００２２】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００２３】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００２４】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２５】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うための照明装置４６が設けられている。
【００２６】
前記照明装置３４は、図２に示すように、取付ベース１６１と、この取付ベース１６１に取り付けられたＬＥＤ基板１４０，１６３，１６３と、仕切部材１７０と、装飾部材１００とを備えている。
装飾物１００は、遊技者から見て最前部（図２おいて左斜め下）に設けられた不透明な不透明装飾部材１００Ａと、この不透明装飾部材１００Ａより後方に設けられたレンズ部材１００Ｂとを備えている。このレンズ部材１００Ｂは前後に重ね合された複数のレンズ部材１０２〜１０５によって構成されている。
【００２７】
不透明装飾部材１００Ａは、図２および図３に示すように、ベース部材１０１ａと、ベース部材１０１ａの前面および側面を覆うようにして当該ベース部材１０１ａに取り付けられたカバー部材１０１ｂとを備えており、内部には、図５に示すように、ＬＥＤが実装されたＬＥＤ基板１０１ｆ、静電気防止部材１０１ｇおよびロゴ等が施された透光性を有する装飾シート１０１ｓが設けられている。
カバー部材１０１ｂは透明な樹脂によって形成されており、その前壁は平坦に形成され、外周壁１０１ｄの表面には前後方向に延びる凹凸条が周方向に沿って複数形成され、これら凹凸条の表面に金の蒸着膜が形成されている。
ベース部材１０１ａは不透明な樹脂によって形成されており、底板１０１ｃとこの底板１０１ｃの外周縁に沿って形成された外周壁１０１ｈとを備え、外周壁１０１ｈはカバー部材１０１ｂの外周壁１０１ｄの内側に配置されている。
また、ベース部材１０１ａは、その底板１０１ｃの後面に、後方に向けて突出する４本の突出部１０６を有している。４本の突出部１０６は、底板１０１ｃの中央部より外周側に上下左右に所定間隔で配置されている。また、突出部１０６は略截頭円錐筒状に形成されており、先端部側ほど小径になっている。さらに、突出部１０６の先端部１０６ａは一段細い截頭円錐筒状に形成されており、その先端面にはねじ孔１０６ｂが形成されている。また、突出部１０６の長さは、前後に重ね合された複数のレンズ部材１０２〜１０５を貫通するに十分な長さとなっている。
【００２８】
また、ベース部材１０１ａの底板１０１ｃの裏面（後面）には後方に向けて突出する四角形筒状の筒状突出部１０７が設けられており、この筒状突出部１０７も突出部１０６と同様に先端部側ほど小径になっている。
また、筒状突出部１０７は樹脂によって白色不透明に形成され、当該筒状突出部１０７には、前記不透明装飾部材１００Ａの内部に設けられたＬＥＤ基板１０１ｆの接続端子１０１ｋ（図３参照）に一端部が接続されて後方に向けて延びるハーネスＣ１（図６参照）が挿通されている。したがって、筒状突出部１０７に挿通されているハーネスＣ１が筒状突出部１０７によって隠されてその外側から見ることはできない。
また、接続端子１０１ｋはＬＥＤ基板１０１ｆの後面の略中央部に設けられ、当該接続端子１０１ｋは筒状突出部１０７の底板１０１ｃ側の開口部に露出している。また、筒状突出部１０７の長さは突出部１０６より若干短くなっているが、ＬＥＤ基板１４０に形成された開口部１４０ｄの開口縁部（ＬＥＤ１４０ａが設けられた側の開口縁部）に達する長さとなっている。
また、図６に示すように、前記ハーネスＣ１の他端部は、ＬＥＤ基板１４０を貫通して、その後面に設けられた接続端子１４０ｋ１に接続されている。
【００２９】
次に、レンズ部材１００Ｂを構成するレンズ部材１０２〜１０５について説明する。
レンズ部材１０２は、図４に示すように、レンズ部材１０３〜１０５の少なくとも前面側および上面側を覆うカバー部材であり、樹脂射出成形によって形成され、無色透明となっている。また、レンズ部材１０２〜１０５は、それぞれ樹脂射出成形によって形成され、形状および色が異なっている。
レンズ部材１０２は全体として横長の形状となっており、その前面の左右方向（横方向）の中央部に不透明装飾部材１００Ａを装着するための装着座１０２ａが設けられている。この装着座１０２ａに不透明装飾部材１００Ａのベース部材１０１ａが設置されている。また、装着座１０２ａの外周部には、周方向に沿って立壁１０２ｂが形成されている。この立壁１０２ｂの先端部に不透明装飾部材１００Ａのカバー部材１０１ｂの外周壁１０１ｄの先端部が係合している。
【００３０】
また、装着座１０２ａには、その略中央部に矩形の開口部１０２ｃが装着座１０２ａを貫通して形成され、開口部１０２ｃより外側の装着座１０２ａには、４つの円形状の挿通孔１０２ｄが装着座１０２ａを貫通して形成されている。開口部１０２ｃおよび４つの挿通孔１０２ｄは、それぞれ装着座１０２ａに設置された不透明装飾部材１００Ａの筒状突出部１０７および４本の突出部１０６と同軸に配置されている。そして、開口部１０２ｃに不透明装飾部材１００Ａの筒状突出部１０７が挿通され、４つの挿通孔１０２ｄにそれぞれ不透明装飾部材１００Ａの突出部１０６が挿通されている。
【００３１】
レンズ部材１０３は、樹脂射出成形によって形成され、全体が青色透明となっている。このレンズ部材１０３は全体として横長でかつ、上縁部側と下縁部側が後方に向けて湾曲し、上下方向中央部が前方に向けて湾曲した形状となっている。また、レンズ部材１０３の上縁部は左右の中央部を境として、互いに逆方向に斜め上方に突出した炎形状となっており、左右側ほど斜め上方に突出する炎形状の傾きが水平に近づいている。
また、レンズ部材１０３の前面には樹脂射出成形によって複数のレンズカット面が形成されている。レンズカット面はレンズ部材１０３の厚さ方向に対して様々な角度で傾斜するとともに、上述した炎形状に沿って延在している。
【００３２】
また、レンズ部材１０３の中央部には、図４および図５に示すように、４つの挿通孔１１１がレンズ部材１０３を貫通して設けられており、当該挿通孔１１１のレンズ部材１０３の前面における開口縁部に第１当接部１１１ａが設けられ、裏面（後面）における開口縁部に第１当接部１１１ｂが設けられている。第１当接部１１１ａはその周囲の前面とほぼ面一に設けられ、第１当接部１１１ｂはその周囲の後面より後方に突出している。
４つの挿通孔１１１は、レンズ部材１０２の装着座１０２ａに設けられた４つの挿通孔１０２ｄと同軸に設けられている。挿通孔１１１には前記不透明装飾部材１００Ａの突出部１０６が挿通され、当該突出部１０６は挿通孔１１１の内周面にほぼ密接している。また、挿通孔１１１はストレート状の孔であってもよいし、突出部１０６の外周面に対応させて、先細りとなるテーパ状の孔であってもよい。
また、レンズ部材１０３にはその略中央部に矩形状の開口部１１２がレンズ部材１０３を貫通して形成されており、この開口部１１２には前記筒状突出部（筒状通路部）１０７が挿通されている。
【００３３】
このような構成のレンズ部材１０３はその前面をカバー部材であるレンズ部材１０２の後面側に向けて当該レンズ部材１０２の内側に挿入されている。この状態において、レンズ部材１０２の後面に設けられている４つの第１当接部１０２ｅがレンズ部材１０３の前面に設けられている４つの第１当接部１１１ａに当接することによって、レンズ部材１０２とレンズ部材１０３との対向する面間には所定の隙間が設けられている。
【００３４】
レンズ部材１０４は、樹脂射出成形によって形成され、透明ではないが白色でかつ透光性を有し、さらにレンズ部材１０４には光を拡散させるための拡散剤が含まれている。このレンズ部材１０４は全体として横長でかつ、上縁部側と下縁部側が後方に向けて湾曲し、上下方向中央部が前方に向けて湾曲した形状となっている。また、レンズ部材１０４の上縁部は左右の中央部を境として、互いに逆方向に斜め上方に突出した炎形状となっており、左右側ほど斜め上方に突出する炎形状の傾きが水平に近づいている。
また、レンズ部材１０４の前面には樹脂射出成形によって複数のレンズカット面が形成されている。レンズカット面はレンズ部材１０４の厚さ方向に対して様々な角度で傾斜するとともに、上述した炎形状に沿って延在している。
また、レンズ部材１０４は、レンズ部材１０３の後面側に重ね合された状態において、その上縁部がレンズ部材１０３の上縁部より斜め上方にはみ出しており、正面（前面）側から見た際にレンズ部材１０４の上縁部を見ることができるようになっている。
【００３５】
また、レンズ部材１０４の中央部には、４つの挿通孔１２１がレンズ部材１０４を貫通して設けられており、当該挿通孔１２１のレンズ部材１０４の前面における開口縁部に第１当接部１２１ａが設けられ、裏面（後面）における開口縁部に第１当接部１２１ｂが設けられている。第１当接部１２１ａはその周囲の前面より前方に突出しており、第１当接部１２１ｂはその周囲の後面より後方に突出している。
４つの挿通孔１２１は、レンズ部材１０３に設けられた４つの挿通孔１１１と同軸に設けられている。挿通孔１２１には前記不透明装飾部材１００Ａの突出部１０６が挿通され、当該突出部１０６は挿通孔１２１の内周面にほぼ密接している。また、挿通孔１２１はストレート状の孔であってもよいし、突出部１０６の外周面に対応させて、先細りとなるテーパ状の孔であってもよい。
また、レンズ部材１０４にはその略中央部に矩形状の開口部１２２がレンズ部材１０４を貫通して形成されており、この開口部１２２には前記筒状突出部１０７が挿通されている。
【００３６】
このような構成のレンズ部材１０４はその前面をレンズ部材１０３の後面側に向けて当該レンズ部材１０３と重ね合されている。また、レンズ部材１０４の前面に設けられている４つの第１当接部１２１ａがレンズ部材１０３の後面に設けられている４つの第１当接部１１１ｂに当接することによって、レンズ部材１０３とレンズ部材１０４との対向する面間には所定の隙間が設けられている。
【００３７】
レンズ部材１０５は、樹脂射出成形によって形成され、全体が水色透明または薄い青色透明となっている。このレンズ部材１０５は全体として横長でかつ、上縁部側と下縁部側が後方に向けて湾曲し、上下方向中央部が前方に向けて湾曲した形状となっている。また、レンズ部材１０５の上縁部は左右の中央部を境として、互いに逆方向に斜め上方に突出した炎形状となっており、左右側ほど斜め上方に突出する炎形状の傾きが水平に近づいている。
また、レンズ部材１０５の前面には樹脂射出成形によって複数のレンズカット面が形成されている。レンズカット面はレンズ部材１０５の厚さ方向に対して様々な角度で傾斜するとともに、上述した炎形状に沿って延在している。さらに、レンズ部材１０５の後面には樹脂射出成形によって多数の細かいレンズカット面が形成されている。
また、レンズ部材１０５は、レンズ部材１０４の後面側に重ね合された状態において、上縁部がレンズ部材１０４の上縁部より斜め上方にはみ出しており、正面（前面）側から見た際にレンズ部材１０５の上縁部を見ることができるようになっている。
【００３８】
また、レンズ部材１０５の中央部には、４つの挿通孔１３１がレンズ部材１０５を貫通して設けられており、当該挿通孔１３１のレンズ部材１０５の前面における開口縁部に第１当接部１３１ａが設けられ、裏面（後面）における開口縁部に当接部１３１ｂが設けられている。第１当接部１３１ａはその周囲の前面より前方に突出しており、当接部１３１ｂはその周囲の後面より後方に突出している。
４つの挿通孔１３１は、レンズ部材１０３に設けられた４つの挿通孔１１１およびレンズ部材１０４に設けられた４つの挿通孔１２１と同軸に設けられている。挿通孔１３１には前記不透明装飾部材１００Ａの突出部１０６が挿通され、当該突出部１０６は挿通孔１３１の内周面にほぼ密接している。また、挿通孔１３１はストレート状の孔であってもよいし、突出部１０６の外周面に対応させて、先細りとなるテーパ状の孔であってもよい。
また、レンズ部材１０５にはその略中央部に矩形状の開口部１３２がレンズ部材１０５を貫通して形成されており、この開口部１３２には前記筒状突出部１０７が挿通されている。
【００３９】
このような構成のレンズ部材１０５はその前面をレンズ部材１０４の後面側に向けて当該レンズ部材１０４と重ね合されている。また、レンズ部材１０５の前面に設けられている４つの第１当接部１３１ａがレンズ部材１０４の後面に設けられている４つの第１当接部１２１ｂに当接することによって、レンズ部材１０４とレンズ部材１０５との対向する面間には所定の隙間が設けられている。
【００４０】
図２に示すように、取付ベース１６１は、取付ベース本体１６２と、この取付ベース本体１６２の左右方向中央部に設けられたベース部材１１０とを備えている。
ベース部材１１０は、樹脂射出成形によって形成され、全体が青色透明となっている。このベース部材１１０は、図４に示すように、複数のＬＥＤ１４０ａが実装されたＬＥＤ基板１４０が取り付けられる取付板部１４１と、この取付板部１４１の左右両側部に設けられた側壁部１４２，１４２と、側壁部１４２，１４２に架け渡された底板部１４３とを備えており、取付板部１４１の前面側にＬＥＤ基板１４０が取り付けられている。
【００４１】
ＬＥＤ基板１４０には、４つの円形状の貫通部１４０ｂがレンズ部材１０５の４つの挿通孔１３１とほぼ同軸に形成されている。
また、図５に示すように、取付板部１４１には、４つの貫通孔１４１ｄがレンズ部材１０５の４つの挿通孔１３１とほぼ同軸に形成され、各貫通孔１４１ｄの内部には円環状の座部１４１ｅが設けられている。また、貫通孔１４１ｄの内径は貫通部１４０ｂの内径より小さくなっている。
さらに、ＬＥＤ基板１４０の略中央部には、略矩形状の開口部１４０ｄがＬＥＤ基板１４０を貫通して形成され、取付板部１４１には開口部１４０ｄに面して当該開口部１４０ｄより大きい開口部が形成されている。
【００４２】
図４および図５に示すように、前後に重ね合されたレンズ部材１０２〜１０５は、不透明装飾部材１００Ａとベース部材１１０とによって挟み付けられている。
すなわち、レンズ部材１０２の装着座１０２ａに装着されている不透明装飾部材１００Ａの４本の突出部１０６は、装着座１０２ａに形成されている４つの挿通孔１０２ｄ、レンズ部材１０３に形成されている４つの挿通孔１１１、レンズ部材１０４に形成されている４つの挿通孔１２１およびレンズ部材１０５に形成されている４つの挿通孔１３１に挿通されたうえで、ベース部材１１０に取り付けられているＬＥＤ基板１４０の４つの貫通部１４０ｂに挿通され、さらに、ベース部材１１０の取付板部１４１に形成されている４つの貫通孔１４１ｄに挿入されている。また、突出部１０６の先端部が貫通孔１４１ｄの内側に設けられている座部１４１ｅに当接されている。
そして、ベース部材１１０の背面（後面）側から４本のねじ１５０を４つの貫通孔１４１ｄに挿入したうえで、不透明装飾部材１００Ａの４つの突出部１０６に形成されているねじ孔１０６ｂにねじ込むことによって、ベース部材１１０と不透明装飾部材（前側装飾部材）１０１とによって、レンズ部材１０２〜１０５が挟み付けられて固定されている。
【００４３】
また、不透明装飾部材１００Ａの筒状突出部１０７は、装着座１０２ａに形成されている開口部１０２ｃ、レンズ部材１０３に形成されている開口部１１２、レンズ部材１０４に形成されている開口部１２２およびレンズ部材１０５に形成されている開口部１３２に挿通されたうえで、ベース部材１１０に取り付けられているＬＥＤ基板１４０の開口部１４０ｄの開口縁部まで挿通され、筒状突出部１０７の先端部に設けられている係止部１０７ａが開口部１４０ｄの左右両側に形成された図示しない切欠部に挿入されて係止している。
【００４４】
そして、筒状突出部１０７に挿通されているハーネスＣ１は、図６に示すように、ＬＥＤ基板１４０に形成されている開口部を貫通して、ＬＥＤ基板１４０の後面に設けられた接続端子１４０ｋ１に接続されている。なお、図６においては、ハーネスＣ１〜Ｃ４を直線にて記載しているが、ハーネスＣ１〜Ｃ４は電源供給や信号通信に用いられる複数の電線を束ねた構造をなし、その両端部には接続用の接続コネクタが取り付けられている。
また、ＬＥＤ基板１４０の後面に設けられた接続端子１４０ｋ２には、ハーネスＣ２の一端部が接続されており、このハーネスＣ２の他端部は遊技機の筐体内に延出され、当該筐体内に設けられた図示しないサブ制御基板（制御基板）に接続されている。そして、このサブ制御基板からハーネスＣ２を介してＬＥＤ基板１４０に電源や制御信号等が供給され、さらにこのＬＥＤ基板１４０からハーネスＣ１を介してＬＥＤ基板１０１ｆに電源や制御信号等が供給されるようになっている。
【００４５】
取付ベース１６１および装飾物１００を有する照明装置３４は、上扉３０（図１参照）の上端部に取り付けられている。すなわち、図１および図２に示すように、上扉３０の上端部には取付ベース１６０が取り付けられ、この上扉側取付ベース１６０の前面に取付ベース１６１が取り付けられている。この取付ベース１６１は、取付ベース本体１６２と、この取付ベース本体１６２の左右方向中央部に設けられるベース部材１１０とを備えている。また、取付ベース本体１６２は上カバー部１６１ａを有している。
取付ベース本体１６２の前面の左右両側にそれぞれ複数のＬＥＤ１６３ａが実装されたＬＥＤ基板１６３がその前面を前方に向けて取り付けられている。また、取付ベース本体１６２の前面の左右両側にそれぞれ基板押え部材１６４がＬＥＤ基板１６３に被さるようにして取り付けられ、これによってＬＥＤ基板１６３は取付ベース１６１の前面に固定されている。なお、基板押え部材１６４には、ＬＥＤ１６３ａを前面側に露出するための開口部１６４ａが複数形成されている。
【００４６】
また、ＬＥＤ基板１６３，１６３の後面には、図６に示すように、接続端子１６３ｂ，１６３ｂが設けられており、当該接続端子１６３ｂ，１６３ｂと、ＬＥＤ基板１４０の接続端子１４０ｋ３，１４０ｋ３とがハーネスＣ３によって接続されている。そして、筐体内部のサブ制御基板からハーネスＣ２を介してＬＥＤ基板１４０に電源や制御信号等が供給され、さらにこのＬＥＤ基板１４０からハーネスＣ３を介してＬＥＤ基板１６３に電源や制御信号等が供給されるようになっている。
また、取付ベース本体１６２の裏面（後面）側には、その左右両側にそれぞれスピーカ１６５およびスピーカ１６５を駆動するスピーカ駆動基板１６５ａがＬＥＤ基板１６３の斜め下方側でかつフロントグリル１６２ａの後側に設けられている。各スピーカ駆動基板１６５ａには接続端子１６５ｂが設けられており、当該それぞれの接続端子１６５ｂと、ＬＥＤ基板１４０の接続端子１４０ｋ４，１４０ｋ４とがハーネスＣ４によって接続されている。そして、筐体内部の制御基板からハーネスＣ２を介してＬＥＤ基板１４０に電源や制御信号等が供給され、さらにこのＬＥＤ基板１４０からハーネスＣ４を介してスピーカ駆動基板１６５ａに電源や制御信号等が供給されるようになっている。
このように、ＬＥＤ基板１４０はサブ制御基板からの電源や制御信号等をＬＥＤ基板１０１ｆ、ＬＥＤ基板１６３およびスピーカ駆動基板１６５ａに供給する中継基板となっている。
【００４７】
また、ベース部材１１０は左右の基板押え部材１６４，１６４間において取付ベース本体１６２に取り付けられている。そして、このベース部材１１０と不透明装飾部材１００Ａとによってレンズ部材１０２〜１０５（図４参照）が挟み付けられることで、装飾物１００が上扉３０の上端部に取り付けられている。
そして、レンズ部材１０２〜１０５の左右中央部の部分に、ベース部材１１０に設けられているＬＥＤ基板１４０のＬＥＤ１４０ａから光が照射され、レンズ部材１０２〜１０５（図２および図４参照）の左右両側部の部分に、取付ベース本体１６２に設けられているＬＥＤ基板１６３のＬＥＤ１６３ａから光が照射されるようになっている。
【００４８】
また、図２、図７および図８に示すように、取付ベース１６１の中央部に設けられたＬＥＤ基板１４０と、このＬＥＤ基板１４０の左右両側にそれぞれ設けられたＬＥＤ基板１６３，１６３との間に仕切部材１７０が設けられている。ＬＥＤ基板１６３はＬＥＤ基板１４０より若干後方側に配置されている。また、仕切部材１７０は、ベース部材１１０の側壁部１４２と、取付ベース本体１６２の底面に当該底面と直角に設けられた立壁部１６２ｂと、基板押え部材１６４の側壁部１６４ｂとによって構成されている。
そして、取付ベース１６１に仕切部材１７０の前側においてレンズ部材１００Ｂが設けられ、このレンズ部材１００Ｂにその後面側からＬＥＤ基板１４０，１６３のＬＥＤ１４０ａ，１６３ａの光が照射されるようになっている。
また、レンズ部材１００Ｂの仕切部材１７０と前後方向において対向する対向部２００は仕切部材１７０側に向けてくびれている。すなわち、レンズ部材１００Ｂは４枚のレンズ部材１０２〜１０５によって構成されているが、全てのレンズ部材１０２〜１０５は前後方向において仕切部材１７０と対向する部分が仕切部材１７０側に向けてくびれている。
【００４９】
また、レンズ部材１００Ｂのうち、くびれている対向部２００を境として一方側を一方側の照射面、他方側を他方側の照射面とすると、対向部２００と仕切部材１７０との間に、一方のＬＥＤ基板１４０のＬＥＤ１４０ａの光の一部が対向部２００およびこの対向部近傍の他方側の照射面を照射可能とし、他方のＬＥＤ基板１６３のＬＥＤ１６３ａの光の一部が対向部２００およびこの対向部近傍の一方側の照射面を照射可能とする隙間Ｓが設けられている。
これについて図９を参照して説明する。図９は、レンズ部材１００Ｂ、ＬＥＤ基板１４０，１６３、仕切部材１７０等の位置関係を模式的に示す図である。なお、図９においては、ＬＥＤ基板１４０とＬＥＤ基板１６３とは前後方向（図９では上下方向）において等しい位置に配置されているが、実際は上述したように、ＬＥＤ基板１６３はＬＥＤ基板１４０より若干後方（図９では下方）に配置されている。
【００５０】
図９に示すように、取付ベース１６１には、ＬＥＤ基板１４０，１６３の間において、仕切部材１７０が取付ベース１６１と直角に設けられており、この仕切部材１７０の先端部と、レンズ部材１００Ｂとの間には隙間Ｓが設けられている。なお、仕切部材１７０は必ずしも取付ベース１６１と直角に設ける必要はなく、取付ベース１６１に対して傾斜して設けてもよい。
仕切部材１７０と前後方向（図９では上下方向）に対向するレンズ部材１００Ｂの対向部２００は仕切部材１７０側に向けてくびれている。上述したように、レンズ部材１００Ｂは４枚のレンズ部材１０２〜１０５によって構成されているので、図９においては、隙間Ｓは、最も後方にあるレンズ部材１０５のくびれている対向部２００の頂点部と仕切部材１７０の先端部との間の隙間である。
【００５１】
そして、くびれている対向部２００を境として、レンズ部材１００Ｂの後面のうち、一方側を一方側の照射面Ｓ１、他方側を他方側の照射面Ｓ２とすると、対向部２００と仕切部材１７０との間に、一方のＬＥＤ基板１４０のＬＥＤ１４０ａの光の一部が対向部２００およびこの対向部近傍の他方側の照射面Ｓ２を照射可能とし、他方のＬＥＤ基板１６３のＬＥＤ１６３ａの光の一部が対向部２００およびこの対向部近傍の一方側の照射面Ｓ１を照射可能とするように、前記隙間Ｓが設けられている。
ここで、一方のＬＥＤ基板１４０に複数設けられているＬＥＤ１４０ａのうち、仕切部材１７０に最も近い位置にあるＬＥＤ１４０ａを本発明における一方の光源とし、同様に、他方のＬＥＤ基板１６３に複数設けられているＬＥＤ１６３ａのうち、仕切部材１７０に最も近い位置にあるＬＥＤ１６３ａを本発明における他方の光源とする。
【００５２】
また、照射面Ｓ１，Ｓ２をＬＥＤ１４０ａ，１６３ａの光がその進行方向に垂直に照らした際の照度に対して、対向部２００およびこの対向部近傍の照射面Ｓ１，Ｓ２（対向部２００およびこの対向部近傍の照射面Ｓ１，Ｓ２を照射面Ｓ１２で示す。）をＬＥＤ１４０ａ，１６３ａの光が照らした際の照度が６０％以上となるように、ＬＥＤ１４０ａ，１６３ａと仕切部材１７０の厚さ中心との間の距離Ｌ１，Ｌ２、仕切部材１７０の厚さｔ、仕切部材１７０の高さ（ＬＥＤ１４０ａ，１６３ａと、仕切部材１７０の先端との間の距離）Ｈ、ＬＥＤ１４０ａ，１６３ａの輝度、仕切部材１７０の先端部と対向部２００の頂点部との間の隙間Ｓが調整されている。また、照射面Ｓ１２はＬＥＤ１４０ａの光とＬＥＤ１６３ａの光の双方の光が照射されるので、例えばＬＥＤ１４０ａとＬＥＤ１６３ａの輝度が等しければ、一方のＬＥＤ１４０ａの光によって照射される場合より２倍の照度となる。したがって、この点を考慮して上述した各調整が行われている。
なお、ＬＥＤ基板１６３がＬＥＤ基板１４０より後方（図９において下方）に位置する場合は、ＬＥＤ１４０ａと仕切部材１７０の先端との間の距離Ｈと、ＬＥＤ１６３ａと仕切部材１７０の先端との間の距離Ｈが異なる値となる。
【００５３】
一般的に光源からある距離にある面を照明したときの照度は、その面を光の進行方向に垂直にしたときが最も明るくなり、その面を傾けると暗くなる。本実施の形態におけるＬＥＤ１４０ａ，１６３ａでは、図１０に示すように、例えば入射角θが３０°（斜めθ方向入射）の場合、垂直入射（θ＝０°）に比較して、照度は９０％となる。
なお、図１０は、ＲＧＢ光源のうちのＲ光についての斜入射光特性を示しており、この斜入射光特性を示す円の中心は垂直方向入射ラインに対して図１０中右側に寄っている。Ｂ光は図示は省略するが、斜入射光特性を示す円の中心が垂直方向入射ラインに対して図１０中左側に寄り、Ｇ光は図示は省略するが斜入射光特性を示す円の中心が垂直方向入射ライン上に位置している。
【００５４】
したがって、図９に示すように、ＬＥＤ１４０ａ，１６３ａと仕切部材１７０の厚さ中心との間の距離Ｌ１，Ｌ２が短くなるほど入射角θは小さくなり、入射角θが小さくなるほど照度は、図１０に示すように、垂直入射（θ＝０°）の場合の１００％に近づくとともに、前記照射面Ｓ１２が狭くなって照射面Ｓ１２の照度が上がり、逆に距離Ｌ１，Ｌ２が長くなるほど入射角θは大きくなり、入射角θが大きくなるほど照度は、垂直入射（θ＝０°）の場合の１００％から遠ざかって前記照射面Ｓ１２が広くなって照射面Ｓ１２の照度が下がる。
このため本実施の形態では、照射面Ｓ１，Ｓ２をＬＥＤ１４０ａ，１６３ａがその進行方向に垂直に照らした際の照度に対して、対向部２００およびこの対向部近傍の照射面Ｓ１，Ｓ２（照射面Ｓ１２）をＬＥＤ１４０ａ，１６３ａの光が照らした際の照度が６０％以上となるように、ＬＥＤ１４０ａ，１６３ａと仕切部材１７０の厚さ中心との間の距離Ｌ１，Ｌ２、仕切部材１７０の厚さｔ、仕切部材１７０の高さ（ＬＥＤ１４０ａ，１６３ａと、仕切部材１７０の先端との間の距離）Ｈ、ＬＥＤ１４０ａ，１６３ａの輝度、仕切部材１７０の先端部と対向部２００の頂点部との間の隙間Ｓを調整する。
【００５５】
さらに、本実施の形態では前記隙間Ｓの長さが５ｍｍ〜１５ｍｍに設定されている。隙間Ｓが無い場合、つまり、仕切部材１７０が対向部２００の頂部に当接している場合、ＬＥＤ１４０ａ，１６３ａの光は、対向部２００の頂部に照射されず、この部分に影が生じてしまう。
また、隙間Ｓの長さが小さくなって（隙間が狭くなって）５ｍｍ未満になると、対向部２００にＬＥＤ１４０ａ，１６３ａの光が照射されない部分が生じて、対向部２００が暗くなるか影が生じてしまう。
一方、隙間Ｓの長さが１５ｍｍを超えると、仕切部材１７０によって一方のＬＥＤ１４０ａ（他方のＬＥＤ１６３ａ）の光がレンズ部材１００Ｂの他方の照射面Ｓ２（一方の照射面Ｓ１）に照射されないようにするような仕様変更が困難となって、取付ベース１６１の汎用性が低下してしまう。
このため本実施の形態では、前記隙間Ｓの長さが５ｍｍ〜１５ｍｍに設定されている。
【００５６】
以上のように本実施の形態によれば、仕切部材１７０とレンズ部材１００Ｂの対向部２００との間に、一方のＬＥＤ１４０ａの光の一部が対向部２００およびこの対向部近傍の他方側の照射面Ｓ２を照射可能とし、他方のＬＥＤ１６３ａの光の一部が対向部２００およびこの対向部近傍の一方側の照射面Ｓ１を照射可能とする隙間Ｓが設けられているので、対向部２００およびこの対向部近傍の照射面Ｓ１，Ｓ２（照射面Ｓ１２）にＬＥＤ１４０ａ，１６３ａの光が照射される。このため、レンズ部材１００Ｂの対向部２００およびその近傍に影が発生するのを防止できる。
また、レンズ部材１００Ｂを仕切部材１７０に当接するようにして取付ベース１６１に取り付けることによって、一方のＬＥＤ１４０ａの光の一部と他方のＬＥＤ１６３ａの光の一部とが互いに干渉するのを防止できるような仕様変更にも対応できるので、取付ベース１６１の汎用性を高めることができる。
また、対向部２００が仕切部材１７０側に向けてくびれていても、当該対向部２００と仕切部材１７０との間に上述したような隙間Ｓを設けることによって、くびれている対向部２００を確実に光らせることができる
【００５７】
さらに、対向部２００およびこの対向部近傍の照射面Ｓ１，Ｓ２の照度が６０％以上となっているので、当該対向部２００およびこの対向部近傍の照度が十分となる。
加えて、前記隙間Ｓの長さが５ｍｍ〜１５ｍｍに設定されているので、対向部２００および対向部近傍の照射面Ｓ１，Ｓ２の照度が十分となるとともに取付ベース１６１の汎用性を維持することができる。
【００５８】
なお、本実施の形態では、レンズ部材１００Ｂを４枚のレンズ部材１０２〜１０５によって構成したが、１枚のレンズ部材で構成してもよいし、２〜３枚または５枚以上のレンズ部材によって構成してもよい。
また、本実施の形態では、レンズ部材１００Ｂの対向部２００がくびれているが、対向部２００はくびれていなくてもよい。
【符号の説明】
【００５９】
３４  照明装置
１００Ｂ  レンズ部材
１６１  取付ベース
１７０  仕切部材
１４０ａ，１６３ａ  ＬＥＤ（光源）
２００  対向部
Ｓ  隙間
Ｓ１，Ｓ２  照射面
【図１】
2018191782.tif 000003
【図２】
2018191782.tif 000004
【図３】
2018191782.tif 000005
【図４】
2018191782.tif 000006
【図５】
2018191782.tif 000007
【図６】
2018191782.tif 000008
【図７】
2018191782.tif 000009
【図８】
2018191782.tif 000010
【図９】
2018191782.tif 000011
【図１０】
2018191782.tif 000012